【手続補正書】
【提出日】平成17年4月1日(2005.4.1)
【手続補正１】
【補正対象書類名】明細書
【補正対象項目名】０００７
【補正方法】変更
【補正の内容】
【０００７】
スライド体１０８は、シャッタ１０３の上方に配置されており、図１０（ａ）に示すように、各ダイヤル１０６の上記凹部１５０Ａに係合可能な２つの突起１５０Ｂを備えている。このスライド体１０８は、各突起１５０Ｂが各ダイヤル１０６に近接する方向に常時付勢されており、各突起１５０Ｂと各凹部１５０Ａとの係脱にともなってシャッタ１０３のスライド方向と直交する直交方向（図中におけるＣＤ方向）に往復スライド移動する。このとき、スライド体１０８は、２つの突起１５０Ｂの双方が凹部１５０Ａに係合することにより第１位置をとる一方、少なくとも１つの突起１５０Ｂが従動部１０７の周面と当接することにより第２位置をとる。
【手続補正２】
【補正対象書類名】明細書
【補正対象項目名】００１４
【補正方法】変更
【補正の内容】
【００１４】
傘保持装置１０１に保管した傘を傘受容部２１から取り出す際には、２つのダイヤル１０６を回転操作して、解錠番号列を形成すれば、スライド体１０８の各突起１５０Ｂと各ダイヤル１０６の凹部１５０Ａとが相互係合し、再びスライド体１０８が第１位置をとるようになる。これにより、シャッタ１０３を閉位置から開位置へ移動させることができ、傘を取り出すことができる。
【手続補正３】
【補正対象書類名】明細書
【補正対象項目名】００１５
【補正方法】変更
【補正の内容】
【００１５】
しかしながら、この傘保持装置１０１が施錠状態にあるとき、上記つまみ部１０４をつまんでシャッタ１０３を閉位置から開位置へ向けて強制的に移動させようとした場合、作用部１０５Ａとストッパ１０５Ｂとの間に比較的大きな力がかかる。このような場合、ストッパ１０５Ｂあるいは作用部１０５Ａなど、ダイヤル錠１０５を構成する部材が破損してしまうことがある。その結果、傘保持装置１０１が施錠状態にあっても、シャッタ１０３を強制的に開状態とすることが可能となってしまう。すなわち、この傘保持装置１０１に保管された傘が盗難されうる。
【手続補正４】
【補正対象書類名】明細書
【補正対象項目名】００３４
【補正方法】変更
【補正の内容】
【００３４】
上記ボディ２は、図２に示すように、シャッタ３およびつまみ部４の一部が収容される下ボディ２Ａと、この下ボディ２Ａを封止し、ダイヤル錠５を構成する後述する種々の部材が収容される上ボディ２Ｂとを有している。下ボディ２Ａおよび上ボディ２Ｂはそれぞれ、樹脂などにより一体形成されている。また、ボディ２内には、図４および図７に示すように、下ボディ２Ａの内部空間と上ボディ２Ｂの内部空間との間を仕切るための仕切り板９が備えられている。仕切り板９は、ボディ２内において位置ずれしないように、たとえば、下ボディ２Ａの側壁２Ａｂ，２Ａｃに形成された板支持部９ａなどにより支持されているとともに、下ボディ２Ａの底壁２Ａａに形成された円筒状のねじ穴部９ｂに対してねじ止めされている。
【手続補正５】
【補正対象書類名】明細書
【補正対象項目名】００３８
【補正方法】変更
【補正の内容】
【００３８】
シャッタ３は、図３および図７に示すように、下ボディ２Ａに対して、シャッタ支持部３２のシャッタ溝３２ａが下ボディ２Ａのガイド体２３に係合した状態でセットされている。これにより、シャッタ３は、シャッタ支持部３２がガイド体２３に沿って第１の方向に移動することによって、それ全体が水平方向（第１の方向）にスライド移動する。ここで、シャッタ３は、図５に示すように、シャッタ本体３１が全体的にボディ２（下ボディ２Ａ）内に収納されることにより、開放部２１ａを全開にした開位置をとる。シャッタ３は、この開位置から、シャッタ支持部３２が図中のＡ方向に移動することにより、シャッタ本体３１の先端部３１ｂが下ボディ２Ａのシャッタ窓２２ａから突出していくようにスライド移動する。その後、シャッタ３は、図３に示すように、シャッタ支持部３２がさらに移動し、シャッタ本体３１の先端部３１ｂが下ボディ２Ａのシャッタ受部２２ｂ内に挿入されることにより、開放部２１ａを全閉にした閉位置をとる。
【手続補正６】
【補正対象書類名】明細書
【補正対象項目名】００４８
【補正方法】変更
【補正の内容】
【００４８】
各係合突起６０は、半球形状とされており、各係合凹部７０は、係合突起６０と対応する凹状に形成されている。また、各ダイヤルカプラ７は、上述したように、第２付勢体９２により各ダイヤル６に対して近接する方向に常時付勢されている。したがって、係合突起６０および係合凹部７０は、各ダイヤルカプラ７が後述する保持状態をとらずその回転が規制されていない場合（図４）、各ダイヤル６を回転操作した際に、互いに係合することにより各ダイヤルカプラ７を各ダイヤル６と同期して回転させる。すなわち、この場合、上記第１凹部５０Ａは、各ダイヤル６の回転と同期して回動し、各ダイヤル６に表記された数字との位置関係が変化しない。また、係合突起６０および係合凹部７０は、各ダイヤルカプラ７が保持状態をとることによりその回転が規制されている場合（図６）、各ダイヤル６を回転操作した際に、各ダイヤルカプラ７を第２付勢体９２の付勢力に抗して各ダイヤル６から離間させることにより互いの係合状態が解除される。換言すれば、係合突起６０および係合凹部７０ないし第２付勢体９２により、各ダイヤルカプラ７に対する各ダイヤル６の回転姿勢を変化させることが可能であり、これにより、上記第１凹部５０Ａは、各ダイヤル６に表記された数字との位置関係が変化する。
【手続補正７】
【補正対象書類名】明細書
【補正対象項目名】００５０
【補正方法】変更
【補正の内容】
【００５０】
上記スライド体８は、図４、図６および図７に示すように、板状とされており、上記第１凹部５０Ａに対して相互係合可能な第２突起５０Ｂを有している。第２突起５０Ｂは、ダイヤルカプラ７（第１凹部５０Ａ）と同数のものが設けられている。このスライド体８は、各第１凹部５０Ａと各第２突起５０Ｂとの係脱にともなって往復スライド移動し、これにより、図６に示すように、第１凹部５０Ａと第２突起５０Ｂとがなす組の全ての組が相互係合することによって、ダイヤルカプラ７（ダイヤル６）に対して近接した第１位置をとり、第１凹部５０Ａと第２突起５０Ｂとがなす組のうちの少なくとも１組における係合状態が後述するようにして解除されることによって、図４に示すように、ダイヤルカプラ７に対して離間した第２位置をとる。
【手続補正８】
【補正対象書類名】明細書
【補正対象項目名】００５１
【補正方法】変更
【補正の内容】
【００５１】
第２突起５０Ｂは、第１凹部５０Ａが回動した場合、第１凹部５０Ａとの間の係合状態が解除されうるように形成されている。たとえば、図４および図６に示すように、第２突起５０Ｂもしくは第１凹部５０Ａの内壁面はそれぞれ、平面視において、略二等辺三角形状および略台形状を呈しており、第１凹部５０Ａおよび第２突起５０Ｂは、二者のうちの少なくとも一方がダイヤルカプラ７の半径方向に延びる面を持たないように形成されている。これにより、ダイヤルカプラ７が回転して第１凹部５０Ａが回動した際には、第１凹部５０Ａと第２突起５０Ｂとにおける互いに当接する面同士が滑り合い、第２突起５０Ｂがダイヤルカプラ７の周面７ａに乗り上げる格好となる。このようにして、第１凹部５０Ａと第２突起５０Ｂとの間の係合状態が解除される。
【手続補正９】
【補正対象書類名】明細書
【補正対象項目名】００５６
【補正方法】変更
【補正の内容】
【００５６】
より詳細には、ストッパ５Ｂは、図７に示すように、スライド体８から下方に延びるように形成された平板状に形成されており、仕切り板９に設けられたストッパ窓９９から突出して、その先端が作用部５Ａの最上部よりも下方に位置している。このストッパ５Ｂは、所定の厚み（すなわち、上記断面寸法ｔ）を有しており、かつ、図５および図６に示すように、シャッタ３のスライド方向（図中のＡＢ方向）に所定の長さを有するように直線状に延びている。このようなストッパ５Ｂは、スライド体８と一体的に形成されており、スライド体８が第２位置をとるときには、図３に示すように、作用部５Ａに対してシャッタ３のスライド方向に直線状に並ぶように配置されている。また、このとき、シャッタ３は、閉位置をとるように配置されている。したがって、スライド体８が第２位置をとるときには、作用部５Ａの端縁がストッパ５Ｂの端縁に当接することにより、シャッタ３における閉位置から開位置へのスライド移動が規制される。一方、スライド体８が第１位置をとるときには、ストッパ５Ｂは、図５に示すように、シャッタ３のストッパ溝３３に対してシャッタ３のスライド方向に直線状に並ぶように配置されている。したがって、スライド体８が第１位置をとるときには、ストッパ５Ｂがストッパ溝３３に対して係合しつつ相対的に通過することにより、シャッタ３のスライド移動が許容される。
【手続補正１０】
【補正対象書類名】明細書
【補正対象項目名】００５７
【補正方法】変更
【補正の内容】
【００５７】
上記ストッパ溝３３は、シャッタ３が開位置をとるときにスライド体８が第１位置から第２位置へスライド移動するのを規制する機能（スライド体移動規制機能）を生じさせるための部分である。ストッパ溝３３（およびストッパ５Ｂ）におけるシャッタ３のスライド移動方向の長さは、図５および図６に示すように、シャッタ３が開位置をとるときにはストッパ５Ｂの少なくとも一部がこのストッパ溝３３に係合されたままの状態となるようにかつ、シャッタ３が閉位置をとるときにはストッパ５Ｂがこのストッパ溝３３に係合されていない状態となるように規定されている。したがって、スライド体８は、シャッタ３が開位置をとるときには、ストッパ５Ｂの端縁が作用部５Ａの端縁に当接することによって、第１位置から第２位置へのスライド移動が規制される。一方、シャッタ３が閉位置をとるときには、スライド体８は、ストッパ５Ｂの端縁と作用部５Ａの端縁との当接が回避されることによって、スライド移動が許容される。
【手続補正１１】
【補正対象書類名】明細書
【補正対象項目名】００７１
【補正方法】変更
【補正の内容】
【００７１】
次いで、傘１Ａを傘保持装置１から取り出す際には、各ダイヤル６を回転操作して解錠番号列を形成すれば、各第１凹部５０Ａと各第２突起５０Ｂとが対向するので、第１付勢体９５の付勢力により、各第１凹部５０Ａと各第２突起５０Ｂとが相互係合するようにしてスライダ体８が第２位置から第１位置へ移動する。したがって、ストッパ５Ｂとストッパ溝３３とが同一直線上に並ぶので、シャッタ３が閉位置から開位置へ移動可能な状態となる。